(57)【要約】【課題】電撃線を長尺帯状本体の上面に設けた溝内に挿入することで電撃線が装置設置面から浮いた状態とならないようにする。【解決手段】軟質の合成樹脂からなる長尺帯状本体１の上面側に電撃線挿入用の蟻形溝２を長尺帯状本体１全長にわたって複数条設し、これらの蟻形溝２，２内に、不銹性及び導電性を有する金属製の平帯状電撃線３を夫々挿入配置し、これらの電撃線３，３を電極として電圧を印加するようにしてなる。【選択図】図１
2013247863.tif 000002
【特許請求の範囲】
【請求項１】
軟質の合成樹脂からなる長尺帯状本体の上面側に電撃線挿入用の蟻形溝を長尺帯状本体全長にわたって複数条設し、これらの蟻形溝内に、不銹性及び導電性を有する金属製の平帯状電撃線を夫々挿入配置し、これらの電撃線を電極として電圧を印加するようにしてなる鳥類飛来防止装置。
【請求項２】
前記長尺帯状本体は、両斜面の傾斜が緩やかな断面略山形三角形に形成され、両斜面に電撃線挿入用蟻形溝を長尺帯状本体の全長に亙って条設してなる請求項１に記載の鳥類飛来防止装置。
【請求項３】
前記長尺帯状本体を鳥類が飛来する場所にある取付基体等の上面に固定するにあたり、長尺帯状本体の底面には、本体固定用の接着剤を塗布すると共に、本体仮止め用の両面粘着テープを貼り付けるようにしてなる請求項１又は２に記載の鳥類飛来防止装置。
【請求項４】
前記長尺帯状本体の底面側には、その幅方向中央部に接着剤保持用の蟻形溝を長尺帯状本体の全長にわたって条設してなる請求項１〜３の何れかに載の鳥類飛来防止装置。
【請求項５】
前記長尺帯状本体の底面側には、その幅方向中央部に接着剤保持用の蟻形溝を長尺帯状本体の全長にわたって条設すると共に、この接着剤保持用蟻形溝を挟んでその両側に細かな複数の凹溝部を長尺帯状本体の全長にわたって条設してなる請求項１〜４の何れかに載の鳥類飛来防止装置。
【請求項６】
前記金属製平帯状電撃線はステンレス平編組線からなる請求項１〜５の何れかに記載の鳥類飛来防止装置。
【請求項７】
前記金属製平帯状電撃線はアルミニウム平帯板材からなる請求項１〜５の何れかに記載の鳥類飛来防止装置。
【請求項８】
前記長尺帯状本体はポリ塩化ビニルで形成されている請求項１〜７の何れかに記載の鳥類飛来防止装置。
【発明の詳細な説明】
【技術分野】
【０００１】
本発明は、鳩、カラス等の鳥類の飛来を防止、糞害や巣作りによる建物等の汚染などを防止する装置に関する。
【背景技術】
【０００２】
近年、市街地での鳥類による被害が多発しており、特に高架下、看板や広告塔、電柱、建物のベランダや屋上、また神社や仏閣においては、飛来した鳩やカラス等が巣作りしたり、糞を撒き散らして周辺を汚染する上に、建物等の美観を損なうという問題がある。
【０００３】
そこで、鳥類の飛来防止対策として、鳥が留まり易い箇所に沿って碍子部材を所定間隔をおいて配置し、これら碍子部材間に夫々複数本の電撃用金属棒（以下、電撃線という）を保持して、これらの電撃線を電極として高電圧を印加し、しかして鳥が電撃線間に足を掛けた瞬間に、鳥の体内に通電して感電することにより、鳥に電気的ショックを与えて、鳥の飛来を防止するようにした鳥類飛来防止装置が、例えば下記特許文献１に開示されている。
【先行技術文献】
【特許文献】
【０００４】
【特許文献１】特開２００５−１６８３７１号公報
【発明の概要】
【発明が解決しようとする課題】
【０００５】
上記従来の鳥類飛来防止装置では、碍子部材間に保持される電撃線が装置の設置面より例えば３ｃｍほど宙に浮いた状態となるため、雪の多い地方では、屋根に設置した場合、電撃線が雪の重みで変形し、電撃線どうし接触してショートしてしまい、ワンシーズンで配線が不良となる事態が多く発生することから、雪の多い地方での施工が困難であった。また上記電撃線は、直径が１ｍｍ程度での太さで、宙に３ｃｍほど浮いているため、大型の鳥類が上に乗ったり、足を引っ掛けることにより、切断して落下することがあり、落下すれば、人通りの多い場所の高所では、大きな事故につながるおそれがあった。
【０００６】
本発明は、上記の事情に鑑み、電撃線を長尺帯状本体の上面に設けた溝内に挿入することで電撃線が装置設置面から浮いた状態とならないようにして、上記従来の課題を解決できる鳥類飛来防止装置を提供することを目的とする。
【課題を解決するための手段】
【０００７】
上記課題を解決するための手段を、後述する実施形態の参照符号を付して説明すると、請求項１に係る発明の鳥類飛来防止装置は、軟質の合成樹脂からなる長尺帯状本体１の上面側に電撃線挿入用の蟻形溝２を長尺帯状本体１全長にわたって複数条設し、これらの蟻形溝２，２内に、不銹性及び導電性を有する金属製の平帯状電撃線３を夫々挿入配置し、これらの電撃線３，３を電極として電圧を印加するようにしてなることを特徴とする。
【０００８】
請求項２は、請求項１に記載の鳥類飛来防止装置において、前記長尺帯状本体１は、両斜面１ａ，１ａの傾斜が緩やかな断面略山形三角形に形成され、両斜面１ａ，１ａに電撃線挿入用蟻形溝２を長尺帯状本体１の全長にわたって条設してなることを特徴とする。
【０００９】
請求項３は、請求項１又は２に記載の鳥類飛来防止装置において、前記長尺帯状本体１を鳥類が飛来する場所にある取付基体７等の上面に固定するにあたり、長尺帯状本体１の底面１ｂには、本体固定用の接着剤９を塗布すると共に、本体仮止め用の両面粘着テープ８を貼り付けるようにしてなることを特徴とする。
【００１０】
請求項４は、請求項１〜３の何れかに載の鳥類飛来防止装置において、前記長尺帯状本体１の底面１ｂ側には、その幅方向中央部に接着剤保持用の蟻形溝４を長尺帯状本体１の全長にわたって条設してなることを特徴とする。
【００１１】
請求項５は、請求項１〜４の何れかに載の鳥類飛来防止装置において、前記長尺帯状本体１の底面１ｂ側には、その幅方向中央部に接着剤保持用の蟻形溝４を長尺帯状本体１の全長にわたって条設すると共に、この接着剤保持用蟻形溝４を挟んでその両側に細かな複数の凹溝部５を長尺帯状本体１の全長にわたって条設してなることを特徴とする。
【００１２】
請求項６は、請求項１〜５の何れかに記載の鳥類飛来防止装置において、前記金属製平帯状電撃線はステンレス平編組線からなることを特徴とする。
【００１３】
請求項７は、請求項１〜５の何れかに記載の鳥類飛来防止装置において、前記金属製平帯状電撃線はアルミニウム平帯板材からなる。
【００１４】
請求項８は、請求項１〜６の何れかに記載の鳥類飛来防止装置において、前記長尺帯状本体１はポリ塩化ビニルで形成されていることを特徴とする。
【発明の効果】
【００１５】
上記解決手段による発明の効果を、後述する実施形態の参照符号を付して説明すると、請求項１に係る発明によれば、軟質合成樹脂からなる長尺帯状本体１上面側に電撃線挿入用の蟻形溝２を長尺帯状本体１全長にわたって複数条設し、これらの蟻形溝２，２内に、不銹性及び導電性の金属製の平帯状電撃線３を夫々挿入配置して、これらの電撃線３，３を電極として印加するようにしたもので、蟻形溝２内に電撃線３を挿入した長尺帯状本体１を直接、鳩やカラス等の鳥類が飛来する場所にある取付基体７等に敷設することにより、従来の鳥類飛来防止装置の電撃線のように、大型鳥類が乗った重みで電撃線を曲げたり足を引っ掛けることで電撃線を切断して落下させるようなことがなく、それによる事故の発生を回避でき、使用の安全性を期することができる。また、電撃線３は、蟻形溝２内に挿入させるから、一旦溝２内に挿入したら、抜け出ることがなく、しかも予め工場生産で長尺帯状本体１の蟻形溝２内にセットされるから、現場で電撃線３の配線作業を行なう必要がなく、施工時間を短縮できる。また、長尺帯状本体１及び電撃線３が共に変形可能であるから、設置箇所がカーブしていたり、上下に起伏した状態にあっても、そのカーブや起伏に沿って適正に施工することができる。
【００１６】
請求項２に係る発明のように、長尺帯状本体１を、両斜面１ａ，１ａの傾斜が緩やかな断面略山形三角形に形成して、両斜面１ａ，１ａに電撃線挿入用蟻形溝２を長尺帯状本体１の全長にわたって条設し、これらの蟻形溝２，２内に金属製平帯状電撃線３を夫々挿入配置した構成によれば、飛来した鳩やカラス等の鳥類が直ちに足を乗せ易く且つ両電撃線３，３に接触又は接近し易くなる。また長尺帯状本体１は、両斜面１ａ，１ａの傾斜が緩やかな断面略山形三角形であることから、デザイン的に優れ、設置時における外観上の体裁、見栄えが良い。また、雨水等の水捌けもよい。
【００１７】
請求項３に係る発明によれば、長尺帯状本体１を鳥類が飛来する場所にある取付基体７等の上面に固定するにあたり、長尺帯状本体１の底面１ｂには、本体固定用の接着剤９を塗布すると共に、本体仮止め用の両面粘着テープ８を貼り付けるようにするから、長尺帯状本体１の底面１ｂ側を取付基体７等の上面所要部に押し付ければ、長尺帯状本体１が両面粘着テープ８で取付基体７に仮止めされ、接着剤９が乾くまで作業を中断することなく継続でき、施工時間の短縮を図ることができる。
【００１８】
請求項４に係る発明によれば、長尺帯状本体１の底面１ｂ側には、その幅方向中央部に接着剤保持用の蟻形溝４を長尺帯状本体１の全長にわたって条設しているから、この蟻形溝４に供給された接着剤９は、蟻形溝２内の奥部まで入り込んだ状態に保持されて、いわゆるアンカー効果を発揮し、接着剤９が固化した時の長尺帯状本体１に対する接着力を高めることができる。
【００１９】
請求項５に係る発明によれば、長尺帯状本体１の底面１ｂ側には、その幅方向中央部に接着剤保持用の蟻形溝４を長尺帯状本体１の全長にわたって条設すると共に、この接着剤保持用蟻形溝４を挟んでその両側に細かな複数の凹溝部５を長尺帯状本体１の全長にわたって条設しているから、蟻形溝４に供給された接着剤９が蟻形溝２内の奥部まで入り込んだ状態に保持されて、アンカー効果により、接着剤９が固化した時の長尺帯状本体１に対する接着力を高めることができると共に、複数の凹溝部５により、蟻形溝４からの接着剤９が、長尺帯状本体１の押し付け力によって薄く広がり過ぎないように、その凹溝部５に接着剤９を保持することにより、長尺帯状本体１の底面１ｂと前記取付基体７の上面との間に適量の接着剤９を介在させることができて、接着力を高めることができる。
【００２０】
請求項６に係る発明のように、金属製平帯状電撃線３がステンレス平編組線からなる場合は、不銹性に優れて錆びることがない上に、導電性が非常に良好となり、弾性に優れ、曲げ変形が容易となり、寒暖時における金属素線の収縮をより有効に吸収することができる。
【００２１】
請求項７に係る発明のように、金属製平帯状電撃線３がアルミニウム平帯板材からなる場合は、他の金属平帯板材に比べ軟らかく変形が容易であり、また材料費が比較的安いために鳥類飛来防止装置の施工費を低減できる。
【００２２】
請求項８に係る発明のように、長尺帯状本体１がポリ塩化ビニルで形成されている場合は、カーボン成分が極めて少ないため絶縁性に優れている上に、耐候性及び強度にも優れている。
【図面の簡単な説明】
【００２３】
【図１】本発明に係る鳥類飛来防止装置の主要部を示す斜視図である。
【図２】(a) は同鳥類飛来防止装置を構成する長尺帯状本体の端面図、(b) は電撃線が挿入された長尺帯状本体の横断面図、(c) は電撃線が挿入された長尺帯状本体を所定場所に設置した状態の同様な横断面図である。
【図３】同鳥類飛来防止装置の全体の配線図を示す平面図である。
【発明を実施するための形態】
【００２４】
以下に本発明に係る鳥類飛来防止装置の好適な一実施形態を図１〜図３に基づいて説明すると、これらの図において、１は軟質の合成樹脂からなる長尺帯状本体で、この長尺帯状本体１の上面側に２つの電撃線挿入用蟻形溝２，２が長尺帯状本体１の全長にわたって条設され、これらの蟻形溝２，２内には夫々不銹性及び導電性を有する金属製の平帯状電撃線３が挿入配置されている。
【００２５】
長尺帯状本体１は、軟質合成樹脂としてのポリ塩化ビニルによって成形されたもので、図２の(a) から分かるように、両斜面１ａ，１ａの傾斜が緩やかな断面略山形三角形に形成されていて、その両斜面１ａ，１ａに夫々電撃線挿入用蟻形溝２が長尺帯状本体全長にわたって条設されている。また、この断面略山形三角形長尺帯状本体１の底面１ｂ側にはその幅方向中央部に、接着剤保持用の蟻形溝４が長尺帯状本体１の全長にわたって条設されており、そしてこの接着剤保持用蟻形溝４を挟んでその両側には夫々、細かな凹溝部５が長尺帯状本体１の全長にわたって複数条設されている。
【００２６】
この実施形態に示す金属製平帯状電撃線３は、ステンレス平編組線からなる。このステンレス平編組線は、ステンレス素線を平編組線加工することによって形成されるもので、このステンレス平編組線からなる電撃線３は、容易に曲げることができると共に、容易に伸ばすことができ、また微妙に収縮することができるように構成されている。また、このステンレス平編組線からなる電撃線３は、当然のことながら錆びることがなく、導電性が非常に良好で、弾性に優れ、曲げ変形が容易となり、寒暖時におけるステンレス素線の収縮をより有効に吸収することができる。図２の(b) は、断面略山形三角形の長尺帯状本体１の電撃線挿入用蟻形溝２，２内に夫々ステンレス平編組線からなる電撃線３が挿入配置された状態を示す。
【００２７】
尚、金属製平帯状電撃線３としては、ステンレス以外の平編組線も使用できるが、特に不銹性に優れていることからステンレス平編組線が最も好ましい。また金属製平帯状電撃線３としては、ステンレス等金属製の平編組線以外に、金属製平帯板材を使用することができる。この金属製平帯板材としては、他の平帯板材に比べて軟らかく変形が容易であること及び材料費が比較的安いことから、アルミニウム平帯板材が最も好ましい。
【００２８】
この実施形態における長尺帯状本体１は、図２の(a) に示すように、山形三角形断面の底辺部の長さａが３５ｍｍ、この底辺部と各斜面部とのなす角度θが約２０°、底辺部から山形の頂部までの垂直高さｂが９ｍｍ、そして各電撃線挿入用蟻形溝２の最大溝幅（溝底部側の幅）ｃが５ｍｍ、最小溝幅（溝入口側の幅）ｄが３ｍｍ、溝深さｅは２ｍｍで、その溝底部側の深さｅ1 と溝入口側の深さｅ2 が夫々１ｍｍとなっている。また、図１に示すように、電撃線挿入用蟻形溝２内に挿入される電撃線３の幅ｆは５ｍｍ、厚さｇは１ｍｍとなっている。また、電撃線３の長さは通常５ｍである。尚、これら長尺帯状本体１及び電撃線３の寸法は、参考までに示したもので、本発明に係る長尺帯状本体１がこれらの寸法に制約されるものではない。
【００２９】
そして、上記のように幅５ｍｍ、厚さ１ｍｍの電撃線３を、長尺帯状本体１の蟻形溝２に挿入することにより、この電撃線３は、図２の(b) に示すように、蟻形溝２の溝底部側に嵌まり込んで、溝２からの抜け出しが阻止された状態となると共に、電撃線３の上面側が蟻形溝２の最小溝幅ｄ（３ｍｍ）分だけ露出した状態となる。
【００３０】
図２の(c) は、電撃線３が挿入された長尺帯状本体１を、鳩やカラス等の鳥類が飛来する場所にある取付基体７に設置した状態を示すものである。この長尺帯状本体１を取付基体７の上面所要部に取り付ける時は、長尺帯状本体１の底面１ｂ側には、幅方向一端部側に両面粘着テープ８を長尺帯状本体１の全長にわたって連続的に又は適当間隔で断片的に貼り付けると共に、底面１ｂ側中央部の接着剤保持用蟻形溝４に、ペースト状又はゼリー状の本体固定用接着剤９を供給して蟻形溝４の開口部側から山盛り状に溢れる状態とし、この状態で長尺帯状本体１の底面１ｂ側を取付基体７の上面所要部に押し付けると、長尺帯状本体１は、両面粘着テープ８により直ちに取付基体７の上面所定位置に止着されて仮止めされ、そして接着剤９が乾けば、この接着剤９によって取付基体７の上面所定位置に確実強固に固定されることなる。
【００３１】
上記のように長尺帯状本体１を鳥類が飛来する場所にある取付基体７の上面に固定するにあたって、長尺帯状本体１の底面１ｂには、本体固定用の接着剤９を塗布すると共に、本体仮止め用の両面粘着テープ８を貼り付けているから、長尺帯状本体１の底面１ｂ側を取付基体７の上面所要部に押し付ければ、長尺帯状本体１が両面粘着テープ８で取付基体７に仮止めされるから、接着剤９が乾くまで作業を中断することなく、作業を継続でき、施工時間の短縮を図ることができる。
【００３２】
この場合、長尺帯状本体１の底面１ｂ側を取付基体７の上面所要部に押し付けることによって、接着剤保持用蟻形溝４に対して蟻形溝４の開口部側から山盛り状に溢れる状態に供給された接着剤９は、その開口部側から溢れた部分９ａが、図２の(c) に示すように、長尺帯状本体１の底面１ｂと取付基体７の上面との間で長尺帯状本体１の幅方向中央部側から側端部の方へ広がって、長尺帯状本体底面１ｂを出来るだけ広い面で取付基体７の上面に接着させることができる。
【００３３】
またこの場合、長尺帯状本体１の底面１ｂの幅方向中央部に接着剤保持用の蟻形溝４を長尺帯状本体１全長にわたって設けているから、この蟻形溝４に供給された接着剤９は、図２の(c) に示すように、蟻形溝２内の奥部まで入り込んだ状態に保持されて、いわゆるアンカー効果を発揮し、接着剤９が固化した時の長尺帯状本体１に対する接着力を高めることができる。
【００３４】
またこの場合、長尺帯状本体１の底面１ｂには、上記した接着剤保持用蟻形溝４の他に細かな凹溝部５が長尺帯状本体１の全長にわたって複数条設されていることから、これらの凹溝部５により、前記接着剤保持用蟻形溝４からの接着剤９が、長尺帯状本体１の押し付け力によって薄く広がり過ぎないように、その凹溝部５に接着剤９を保持し、それによって長尺帯状本体１の底面１ｂと取付基体７の上面との間に適量の接着剤９を介在させることができる。
【００３５】
そしてまた、この鳥類飛来防止装置の大きな特徴は、長尺帯状本体１が軟質合成樹脂によって形成され、また電撃線３がステンレス平編組線からなるため、長尺帯状本体１及び電撃線３が共に柔軟性があって弾性変形可能であり、従って設置箇所がカーブしていたり、上下に起伏した状態にあっても、そのカーブや起伏に沿って適正に施工できることである。
【００３６】
図３は鳥類飛来防止装置全体の電気配線図を簡略的に示したもので、この図において、１０は装置本体電源部、１１はソーラー発電部であり、１２ａは導線のプラス側、１２ｂはマイナス側を示す。装置本体電源部１０は、入力電圧が例えば１２Ｖのバッテリー１３、電源入切操作用のスイッチ１４、ショート時に電源を自動的に遮断する機能を有するブレーカー１５及び入力電圧を例えば７０００〜８０００ボルトに増幅する増幅器（図示せず）を含み、長尺帯状本体１の電撃線挿入用蟻形溝２，２に挿入された両電撃線３，３の一方をプラス側、他方をマイナス側として、両電撃線３，３間に高電圧を印加するようになっている。そして、図３に示すように、装置本体電源部１０とソーラー発電部１１とを導線１２ａ，１２ｂによって接続すると共に、長尺帯状本体１の電撃線挿入用蟻形溝２，２に挿入されている電撃線３，３の一方の電撃線３に、装置本体電源部１０からのプラス側導線１２ａを接続し、他方の電撃線３にマイナス側導線１２ｂを接続することにより、鳥類飛来防止装置が完成する。
【００３７】
従って、長尺帯状本体１の上面側で電撃線挿入用蟻形溝２，２に挿入されて、それらの溝開口部から露出しているプラス側電撃線３（正極）及びマイナス側電撃線３（負極）に対し、鳩やカラス等の鳥類が近づいて、正極と負極との両電撃線３，３に対して接触又は数ｍｍ程度接近した状態となれば、その鳥類の体内に電流が流れて鳥類に電気的ショックを与え、それによって鳥類の飛来を防止することができる。
【００３８】
上述した実施形態では、長尺帯状本体１の上面側に２つの電撃線挿入用蟻形溝２，２を条設して、これらの蟻形溝２、２に２本の電撃線３，３を挿入するようにしたが、例えば断面矩形状に形成した長尺帯状本体１の上面側に３つの蟻形溝２，２，２を条設し、それらに３本の電撃線３，３，３を挿入するようにしてもよい。この場合、真中の電撃線３を正極とし、その両側の電撃線３，３を負極として、電圧を印加するようにすればよい。
【００３９】
また上述した実施形態では、電撃線３の端部の接続については説明していないが、長尺帯状本体１は、通常の長さが５ｍ程度であるから、実際の施工に際しては、長尺帯状本体１の電撃線挿入用蟻形溝２に挿入した電撃線３を接続する必要がある。従って、この電撃線３の接続にあたっては、長尺帯状本体１の電撃線挿入用蟻形溝２内で接続すべき電撃線３，３の端部どうしを、ハンダ付け、アルミ端子、専用接続器具によって接続することができる。
【００４０】
また、上述した鳥類飛来防止装置の装置本体電源部１０には、ショート時に電源を自動的に遮断する機能を有するブレーカー１５を備えているから、電撃線３，３がショートして鳥類に電気的ショックを与えた後は、スパーク音や火花が直ちに停止し、火災等の事故を防止できる。
【００４１】
以上説明した鳥類飛来防止装置によれば、軟質合成樹脂からなる長尺帯状本体１の上面側に電撃線挿入用の蟻形溝２を長尺帯状本体１全長にわたって複数条設し、これらの蟻形溝２，２内に、不銹性及び導電性を有する金属製の平帯状電撃線３を夫々挿入配置して、これらの電撃線３，３を電極として印加するようにしてもので、蟻形溝２内に電撃線３を挿入した長尺帯状本体１を直接、鳩やカラス等の鳥類が飛来する場所にある取付基体７等に敷設することにより、従来の鳥類飛来防止装置の電撃線のように、大型鳥類が乗った重みで電撃線を曲げたり足を引っ掛けることで電撃線を切断して落下させるようなことがなく、それによる事故の発生を回避することができ、使用の安全性を期することができる。また電撃線３は、蟻形溝２内に挿入させるから、一旦溝２内に挿入したら、抜け出ることがない。
【００４２】
また、長尺帯状本体１を、実施形態に示すように、両斜面１ａ，１ａの傾斜が緩やかな断面略山形三角形に形成して、両斜面１ａ，１ａに夫々電撃線挿入用蟻形溝２を長尺帯状本体１の全長にわたって条設し、これらの蟻形溝２，２内に金属製平帯状電撃線３を夫々挿入配置した構成によれば、飛来した鳩やカラス等の鳥類が直ちに足を乗せ易く且つ両電撃線３，３に接触又は接近し易くなる。また、両斜面１ａ，１ｂが傾斜しているため雨水等の水捌けがよい。
【００４３】
また、長尺帯状本体１は、上記のように両斜面１ａ，１ａの傾斜が緩やかな断面略山形三角形に形成されて、その厚みが扁平で例えば９ｍｍ程度と薄く、しかもこの薄い長尺帯状本体１に設けた蟻形溝２内に電撃線３を埋め込んだ状態となっているから、他の工事、つまり鳥類飛来防止装置の設置工事以外の工事が平行して行なわれる場合に当該他の工事の妨げにならない。
【００４４】
また電撃線３は、不銹性及び導電性の金属平編組線からなるため、錆びることがなく、長期間有効に使用できる一方、伸縮が可能で、寒暖時における金属素線の収縮を吸収するから、気温の高い時の金属素線の伸びによって電撃線３が蟻形溝２から飛び出たり、気温の低い時の金属素線の収縮によって電撃線３が縮んで長尺帯状本体１を変形させるような不都合な事態を生ずることがない。また、電撃線３が長尺帯状本体１と共に、自由に変形可能であるため、鳥類飛来防止装置の設置箇所がカーブしていたり、上下に起伏した状態にあっても、そのカーブや起伏に沿って適正に施工することができる。また電撃線３としてステンレス平編組線を使用した場合は、不銹性に優れて錆びることがない上に、導電性が非常に良好となり、弾性に優れ、曲げ変形が容易となり、寒暖時における金属素線の収縮をより有効に吸収することができる。
【符号の説明】
【００４５】
１            長尺帯状本体
１ａ          長尺帯状本体の斜面
１ｂ          長尺帯状本体の底面
２            電撃線挿入用蟻形溝
３            電撃線
４            接着剤保持用蟻形溝
５            凹溝部
７            取付基体
８            本体仮止め用の両面粘着テープ
９            本体固定用の接着剤
【図１】
2013247863.tif 000003
【図２】
2013247863.tif 000004
【図３】
2013247863.tif 000005